(57)【要約】【課題】密封性や再封性を変えずに上蓋板を開く際の開封性を改良した。【解決手段】正面板１１の上縁には上板片１１１が裏半切れ線ｃを介して設けられ、上板片には裏半切れ線ｃの近傍に第２表半切れ線まで達する切断線ｄによりつまみ片１１２が区画形成されると共に、裏半切れ線ｃと平行に所定間隔を保って第２表半切れ線ｅ、第３表半切れ線ｆが順次設けられ、つまみ片の両先端から斜め上方に向かう第３表半切れ線に達する第４表半切れ線ｈが形成され、第３半切れ線の第４半切れ線に挟まれた区間は切断線ｉで形成されている。【選択図】図１
2004026281.tif 000002
【特許請求の範囲】
【請求項１】
正面板と、該正面板の両側縁に設けた２枚の側面板と、一方の側面板の一側縁に設けた背面板と、前記背面板の上縁に設けられた上蓋板と、前記２枚の側面板の下縁にそれぞれ設けられた２枚の折り込み片と、前記正面板及び背面板の下縁にそれぞれ設けられた２枚の底面板とを順次折り曲げて構成される密封紙箱において、
前記２枚の側面板の上縁には、それぞれ上板折り曲げ片が表側及び裏側からそれぞれ切り込まれた２本の半切れ線を介して設けられ、かつ前記正面板の上縁には、上板片が裏側から切り込まれた半切れ線を介して設けられると同時に、該上板片には略中央部分で裏側から切り込まれた半切れ線の近傍に後記する第２半切れ線にまで達する切断線により開封用つまみ片が区画形成されると共に、前記裏側から切り込まれた半切れ線と平行に所定間隔を保って表側から切り込まれた第２半切れ線、表側から切り込まれた第３半切れ線が順次設けられ、切断線により区画形成されたつまみ片の両先端から斜め上方に向けて末広がり状に開いて第３半切れ線にまで達する表側から切り込まれた第４半切れ線が設けられ、第３半切れ線の中央部分は、第４半切れ線との交差部分近傍まで切断線で形成され、前記上蓋板の先縁には、折り曲げ線を介して前側面板が連設され、前側面板の先縁には表側から切り込まれた半切れ線を介してロック片が連設され、
前記上板片を半切れ線と第２半切れ線で２重に折り曲げて前記正面板の上縁部外面に重合貼着させると共に、上板片の第３半切れ線より先端部分を内側に折り曲げて上蓋板の先端縁内面側に貼着させると共に、前記上板折り曲げ片を半切れ線で内側に折り曲げて前記上蓋板の両側縁内面側に貼着し、開封用つまみ片の外面側と、開封用つまみ片に連設される開封用つまみ片の両先端から上方に向かう第３半切れ線と切断線とに囲まれた部分の外面側とを、上蓋板先端の前側面板の内面側に貼着して成ることを特徴とする簡易開封式密閉紙箱。
【請求項２】
前記上蓋板の先端縁に連設される前側面板の高さは、前記半切れ線と第２半切れ線で２重に折り曲げて前記正面板の上縁部外面に重合貼着される上板片の高さと、前側面板に連設されるロック片の高さとを加えた長さに形成されていることを特徴とする請求項１記載の簡易開封式密閉紙箱。
【請求項３】
前記、前側面板の中央近傍は開封用つまみ片が露出するように両端側より低く形成されていることを特徴とする請求項１又は２記載の簡易開封式密閉紙箱。
【発明の詳細な説明】
【０００１】
【発明の属する技術分野】
本発明は、例えば粉末洗剤等の内容物を収納し、開封前には完全密封されている簡易開封式密封紙箱に関する。
【０００２】
【従来の技術】
粉末洗剤等の内容物を収納する密封紙箱は、洗剤の消費量の増加に伴い、多量に消費されているが、内容物が湿気を嫌うものであるため、紙箱開封前の密封性が良好で、しかも開封作業が容易に行えるように構成しなければならなかった。
【０００３】
この種の紙箱として、例えば、実開平２−４８５２９号公報に記載された考案がある。
この考案は、図５に示すように、正面板（２０１）と、該正面板の両側縁に設けた２枚の側板（２０２、２０３）と、一方の側板の一側縁に設けた背面板（２０４）と、前記背面板の上縁に設けられた上蓋板（２１３）と、前記２枚の側板の下縁にそれぞれ設けられた２枚の折込片（２０７、２０８）と、前記正面板及び背面板の下縁にそれぞれ設けられた２枚の底板（２０６、２０９）とを順次折り曲げて構成されるカートンにおいて、前記２枚の側板の上縁にそれぞれ上板折曲片（２１１、２１２）を表側及び裏側からそれぞれ切り込まれた２本のハーフカット線（２２８ａ、２２８ｂ、２３２ａ、２３２ｂ）を介して設け、かつ前記正面板の上縁に上板片（２１０）を折線（２２９）を介して設けると共に該上板片には前記折線と平行に所定間隔を保ってもう１本の折線（２３０）並びに表側及び裏側からそれぞれ切り込まれた２本のハーフカット線（２３１ａ、２３１ｂ）を設け、前記上板片を折線で２重に折り曲げて前記正面板の上縁部外面に重合貼着すると共に上板片の表側ハーフカット線より先端部分を内側に折り曲げて前記上蓋板の先端縁内側に貼着し、さらに前記上板折曲片を表側ハーフカット線で内側に折り曲げて前記上蓋板の両側縁内面側に貼着してなる簡易開封式密閉カートンとしたものである。
【０００４】
このような構造からなるので、開封前にあっては内容物を完全密封状態で収容し、また上蓋を持ち上げるだけで紙の層間剥離によって開封することができる。さらに使用後は上蓋を閉じるだけでロック状態に固定され、不用意に持ち上がることはない。さらにまた層間剥離した開口部は再び重なって密封性が比較的良好に保たれる。
【０００５】
【発明が解決しようとする課題】
しかしながら、上蓋板と２つの側板及び正面板の上縁全面が貼着されているので、開封のきっかけがないため上蓋板を開く際の開封強度が高いという問題がある。（開封には正面中央からの開封で４０〜５０Ｎ程度、左又は右側面からの開封で６０Ｎ程度の力を必要とする。）
【０００６】
本発明は、実開平２−４８５２９号公報の考案に関する以上のような問題に鑑みてなされたもので、密封性や再封性を変えずに、上蓋板を開く際の開封強度を落として開封性を改良した発明である。
【０００７】
【課題を解決するための手段】
本発明の請求項１の発明は、正面板と、該正面板の両側縁に設けた２枚の側面板と、一方の側面板の一側縁に設けた背面板と、前記背面板の上縁に設けられた上蓋板と、前記２枚の側面板の下縁にそれぞれ設けられた２枚の折り込み片と、前記正面板及び背面板の下縁にそれぞれ設けられた２枚の底面板とを順次折り曲げて構成される密封紙箱において、前記２枚の側面板の上縁には、それぞれ上板折り曲げ片が表側及び裏側からそれぞれ切り込まれた２本の半切れ線を介して設けられ、かつ前記正面板の上縁には、上板片が裏側から切り込まれた半切れ線を介して設けられると同時に、該上板片には略中央部分で裏側から切り込まれた半切れ線の近傍に後記する第２半切れ線にまで達する切断線により開封用つまみ片が区画形成されると共に、前記裏側から切り込まれた半切れ線と平行に所定間隔を保って表側から切り込まれた第２半切れ線、表側から切り込まれた第３半切れ線が順次設けられ、切断線により区画形成されたつまみ片の両先端から斜め上方に向けて末広がり状に開いて第３半切れ線にまで達する表側から切り込まれた第４半切れ線が設けられ、第３半切れ線の中央部分は、第４半切れ線との交差部分近傍まで切断線で形成され、前記上蓋板の先縁には、折り曲げ線を介して前側面板が連設され、前側面板の先縁には表側から切り込まれた半切れ線を介してロック片が連設され、前記上板片を半切れ線と第２半切れ線で２重に折り曲げて前記正面板の上縁部外面に重合貼着させると共に、上板片の第３半切れ線より先端部分を内側に折り曲げて上蓋板の先端縁内面側に貼着させると共に、前記上板折り曲げ片を半切れ線で内側に折り曲げて前記上蓋板の両側縁内面側に貼着し、開封用つまみ片の外面側と、開封用つまみ片に連設される開封用つまみ片の両先端から上方に向かう第３半切れ線と切断線とに囲まれた部分の外面側とを、上蓋板先端の前側面板の内面側に貼着して成ることを特徴とする簡易開封式密閉紙箱である。
【０００８】
このように請求項１記載の発明によれば、正面板の上縁には、上板片が裏側から切り込まれた半切れ線を介して設けられると同時に、該上板片には略中央部分で裏側から切り込まれた半切れ線の近傍に後記する第２半切れ線にまで達する切断線により開封用つまみ片が区画形成されると共に、前記裏側から切り込まれた半切れ線と平行に所定間隔を保って表側から切り込まれた第２半切れ線、表側から切り込まれた第３半切れ線が順次設けられ、切断線により区画形成されたつまみ片の両先端から斜め上方に向けて末広がり状に開いて第３半切れ線にまで達する表側から切り込まれた第４半切れ線が設けられ、第３半切れ線の中央部分は、第４半切れ線との交差部分近傍まで切断線で形成され、前記上蓋板の先縁には、折り曲げ線を介して前側面板が連設され、前側面板の先縁には表側から切り込まれた半切れ線を介してロック片が連設され、前記上板片を半切れ線と第２半切れ線で２重に折り曲げて前記正面板の上縁部外面に重合貼着させると共に、上板片の第３半切れ線より先端部分を内側に折り曲げて上蓋板の先端縁内面側に貼着させると共に、前記上板折り曲げ片を半切れ線で内側に折り曲げて前記上蓋板の両側縁内面側に貼着し、開封用つまみ片の外面側と、開封用つまみ片に連設される開封用つまみ片の両先端から上方に向かう第３半切れ線と切断線とに囲まれた部分の外面側とを、上蓋板先端の前側面板の内面側に貼着して成るので、層間剥離強度の弱い紙を用いた場合には、正面の開封用つまみ片を持ち上げると図１に示すＳ部分は層間剥離により上板片から分離し、さらに上に持ち上げると上板折り曲げ片も層間剥離して容易に開封できる。
【０００９】
また、層間剥離強度の強い紙を用いた場合には、正面の開封用つまみ片を持ち上げＳ部分を層間剥離により上板片から分離した後、左右どちらかのコーナー部分を引き上げ、上板片と上板折り曲げ片を層間剥離により半分開封する。さらに逆側のコーナー部分を引き上げ、上板片と上板折り曲げ片の残りの部分を開封することができる。
【００１０】
また、前側面板の先縁には表側から切り込まれた半切れ線を介してロック片が連設されているので、一度開封した後、再封する際には、ロック片を内側に折り曲げて再封することにより、ロック片が正面板の上端縁に重合積層された上板片の端縁とロック状態に固定され、蓋体が不用意に持ち上がることがない。
【００１１】
また、請求項２の発明は、請求項１の発明において、前記上蓋板の先端縁に連設される前側面板の高さは、前記半切れ線と第２半切れ線で２重に折り曲げて前記正面板の上縁部外面に重合貼着される上板片の高さと、前側面板に連設されるロック片の高さとを加えた長さに形成されていることを特徴とする簡易開封式密閉紙箱である。
【００１２】
このように請求項２記載の発明によれば、上蓋板の先端に連設される前側面板の高さは、半切れ線と第２半切れ線で２重に折り曲げて前記正面板の上縁部外面に重合貼着される上板片の高さと、前側面板に連設されるロック片の高さとを加えた長さに形成されているので、一度開封した後、再封する際には、ロック片の先端縁が重合貼着された上板片の端縁に係止して蓋体が不用意に持ち上がることはない。
【００１３】
また、請求項３の発明は、請求項１又は２に発明において、前記、前側面板の中央近傍は開封用つまみ片が露出するように両端側より低く形成されていることを特徴とする簡易開封式密閉紙箱である。
【００１４】
このように請求項３記載の発明によれば、前側面板の中央近傍は開封用つまみ片が露出するように両端側より低く形成されているので、開封時に開封用つまみ片を容易につまむことができる。
【００１５】
【発明の実施の形態】
本発明の簡易開封式密閉紙箱を一実施形態に基づいて以下に詳細に説明する。
図１は、本発明の簡易開封式密閉紙箱の展開平面図である。
図１から明らかなように、正面板（１１）の右側縁には折り曲げ線を介して右側面板（１２）が、その左側縁には折り曲げ線を介して左側面板（１３）がそれぞれ連設されている。
【００１６】
また、右側面板（１２）の右側縁には折り曲げ線を介して背面板（１４）が連設され、さらに左側面板（１３）の左側縁には折り曲げ線を介して糊代片（１５）が連設されている。
【００１７】
さらに、正面板（１１）、右側面板（１２）、左側面板（１３）及び背面板（１４）の下縁には密閉紙箱の底部を構成する底面板（１６、１６）及び折り込み片（１７、１７）がそれぞれ折り曲げ線を介して連設されている。
【００１８】
右側面板（１２）の上縁には表側及び裏側から所定の深さに切り込まれた２本の半切れ線（ａ，ｂ）を介して上板折り曲げ片（１２１）が連設され、さらに、左側面板（１３）の上縁には表側及び裏側から所定の深さに切り込まれた２本の半切れ線（ａ，ｂ）を介して上板折り曲げ片（１３１）が連設されている。
【００１９】
なお、上記表側から切り込まれた２本の半切れ線（以下表半切れ線という）（ａ）は組立時に左右側面板に対する上板折り曲げ片の折り曲げ線を形成する。
【００２０】
また、正面板（１１）の上端には上板片（１１１）が裏側から所定の深さに切り込まれた半切れ線（以下裏半切れ線という）（ｃ）を介して連設されている。
同時に上板片（１１１）には略中央部分で裏半切れ線（ｃ）の近傍に後記する第２半切れ線（ｅ）にまで達する切断線（ｄ）により開封用つまみ片（１１２）が区画形成されている。
【００２１】
この上板片（１１１）には裏半切れ線（ｃ）と平行で略同じ間隔を有する第２表半切れ線（ｅ）、第３表半切れ線（ｆ）が順次設けられている。さらにその外側には第２裏半切れ線（ｇ）が設けられている。
【００２２】
切断線（ｄ）により区画形成された開封用つまみ片（１１２）の両先端から斜め上方に向けて末広がり状に開いた第３表半切れ線（ｆ）にまで達する第４表半切れ線（ｈ）が設けられている。
【００２３】
第３表半切れ線（ｆ）の中央部分は、第４表半切れ線（ｈ）との交差部分近傍まで切断線（ｉ）で形成されている。
また、開封用つまみ片（１１２）の両端を結ぶ裏半切れ線（ｊ）が切断線（ｉ）側に膨らんで円弧状に形成されている。
【００２４】
一方、背面板（１４）の上縁には蓋体を構成する上蓋板（１８）が折り曲げ線を介して連設されており、そして上蓋板（１８）には上縁にはさらに折り曲げ線を介して蓋体の前側面板（１８１）が連設され、前側面板（１８１）の先端には表半切れ線（ｋ）を介してロック片（１８２）が連設されている。
【００２５】
さらに上蓋板（１８）の左右両側には折り曲げ線を介して蓋体の蓋側板（１８３、１８３）がそれぞれ連設されている。
また、前側面板（１８１）の左右両側には貼着片（１８４、１８４）が折り曲げ線を介してそれぞれ連設されている。
【００２６】
以上のような構成を有するブランク（１０）から本発明の簡易開封式密封紙箱を組み立てるには、先ず、正面板（１１）、右側面板（１２）、左側面板（１３）及び背面板（１４）を折り曲げ線を介して所定方向につぎつぎと折り曲げた後、糊代片（１５）を背面板（１４）の内側に貼着する。
【００２７】
この後、図２に示すように、上板折り曲げ片（１２１）、（１３１）を表半切れ線（ａ）を介して内側に折り込み、さらに上板片（１１１）を裏半切れ線（ｃ）を介して外側に折り曲げ、続いて第２表半切れ線（ｅ）を介してこれとは逆方向に折り曲げることによって、第２表半切れ線（ｅ）を境に重合積層すると共に、この重合積層した部分を第３表半切れ線（ｆ）を介して内側に折り曲げる。
【００２８】
続いて、上蓋板（１８）を背面板（１４）に対して内側に直角に折り曲げ、上板片（１１１）の折り曲げた第３表半切れ線（ｆ）より先端の部分を上蓋片（１８）の内側面に貼着すると共に、左右の上板折り曲げ片（１２１、１３１）をそれぞれ上蓋片（１８）の内側両側端面に貼着して密封紙箱の上部を密封する。
【００２９】
つぎに蓋体の前側面板（１８１）を上蓋板（１８）に対して直角に折り曲げると共に、上板片（１１１）の開封用つまみ片（１１２）に連設される開封用つまみ片の両先端から斜め上方に向けて末広がり状に開く第４半切れ線（ｈ）と切断線（ｉ）に囲まれた部分（Ｓ）の外面側と前側面板（１８１）の内面側とを貼着する。
【００３０】
ついで、上蓋板（１８）の両端の蓋側板（１８３、１８３）をそれぞれ内側に折り曲げ、蓋体の前側面板（１８１）の両側の貼着片（１８４、１８４）をそれぞれ蓋体の左右の蓋側板（１８３、１８３）の内側面にそれぞれ貼着して図２に示すような上蓋を形成する。
【００３１】
一方、粉末洗剤等の内容物を密封紙箱の底部から充填した後、紙箱底部の両底面板（１６、１６）と左右の折り込み片（１７、１７）を順次内側に折り込み、最後に貼着することによって完全密封される。
【００３２】
なお、粉末洗剤等の内容物は紙箱底部から充填する場合に限られず、紙箱の底部を先ず密封しておき、ついで粉末洗剤等の内容物を紙箱の上部から充填して、最後にこの紙箱の上部を上述のようにして密封するようにしても良い。
【００３３】
図３はこのようにして組み立てた本発明の簡易開封式密封紙箱の組立が完了した組立完了図である。この状態にあっては、内容物は完全に密封されている。
【００３４】
本発明の簡易開封式密封紙箱の開封にあたっては、先ず、開封用つまみ片（１１２）を指でつまんで蓋体の前側面板（１８１）を上方に持ち上げることによって行われる。
【００３５】
前述のように上板片（１１１）の先端部分と上板折り曲げ片（１２１、１３１）は、上蓋板（１８）の内側面にそれぞれ貼着されているので、蓋体を持ち上げようとすると、互いに反対方向から切り込まれた半切れ線（ａ、ｂ）および第３表半切れ線（ｆ）と第２裏半切れ線（ｇ）の箇所に剪断力が作用して、この箇所が紙の層間剥離によって図４に示すような開封状態になる。図４において、斜線部分が紙の層間剥離を起こした箇所である。
【００３６】
さらに詳細に説明すると、層間剥離強度の比較的弱い紙を使用した場合には、正面の開封用つまみ片（１１２）を持ち上げるとＳ部分は層間剥離により上板片（１１１）から分離し、さらに上に持ち上げると両側の上板折り曲げ片（１２１、１３１）も層間剥離して容易に開封できる（図４参照）。
【００３７】
また、比較的層間剥離強度の強い紙を使用した場合には、正面の開封用つまみ片（１１２）を持ち上げ、Ｓ部分を層間剥離により上板片（１１１）から分離した後、左右どちらかのコーナー部分を引き上げ、上板片（１１１）と両側の上板折り曲げ片（１２１、１３１）を層間剥離により半分開封する。さらに逆側のコーナー部分を引き上げ、上板片（１１１）と上板折り曲げ片（１２１、１３１）の残りの部分を開封する。
【００３８】
このように上板片にＳ部分を設けることにより一度に剥離させる上板片（１１１）の面積が少なくなるため、開封し易くなる。
上板片（１１１）のＳ部分と蓋体の前側面板（１８１）を貼着することで粉などの内容物のもれを防止している。
【００３９】
また、開封用つまみ片（１１２）は、切断線（ｄ）と切断線（ｉ）によって軽い力で上板片（１１１）から簡単に分離して蓋体を容易に開封することができる。
なお、開封強度は左又は右側面からの開封で２５Ｎ程度であった。
【００４０】
さらに、本発明の簡易開封式密封紙箱を開封後、再び上蓋を閉じると、層間剥離した部分が再び所定の幅をもって重なり、さらに前側面板（１８１）の先端に設けたロック片（１８２）が正面板（１１）の上端縁に重合積層された上板片（１１１）の端縁とロック状態に固定されて、不用意に持ち上がることがなく、再封性に優れている。
【００４１】
【発明の効果】
以上のように、本発明の簡易開封式密封紙箱は、開封手段としてブランクシートの表側と裏側から互いに離間させて所定の深さに切り込んだ半切れ線によっているので、内容物を製函時に完全密封状態にすることができ、開封前の密封性が優れている。
【００４２】
しかも正面板側の上板片と蓋体との貼着は、半切れ線及び切断線によって囲まれた部分が蓋体と貼着している構造をとっているので、消費者はつまみ片を持ち上げるだけで容易に開封することができる。
さらに前側面板の先端に設けたロック片が正面板の上端縁に重合積層された上板片の端縁とロック状態に固定されて、不用意に持ち上がることがなく、再封性に優れている。
【図面の簡単な説明】
【図１】本発明の簡易開封式密封紙箱の一実施例を示す、展開説明図である。
【図２】本発明の簡易開封式密封紙箱の組立完了前の一実施例を示す、斜視説明図である。
【図３】本発明の簡易開封式密封紙箱の組立完了後の一実施例を示す、斜視説明図である。
【図４】本発明の簡易開封式密封紙箱の開封後の一実施例を示す、斜視説明図である。
【図５】従来の簡易開封式密封紙箱の一例を示す、展開説明図である。
【符号の説明】
１０‥‥ブランク
１１‥‥正面板
１２‥‥右側面板
１３‥‥左側面板
１４‥‥背面板
１５‥‥糊代片
１６‥‥底面板
１７‥‥折り込み片
１８‥‥上蓋板
１１１‥‥上板片
１１２‥‥開封用つまみ片
１２１‥‥上板折り曲げ片
１３１‥‥上板折り曲げ片
１８１‥‥前側面板
１８２‥‥ロック片
１８３‥‥蓋側板
１８４‥‥貼着片
２０１‥‥正面板
２０２‥‥側板
２０３‥‥側板
２０４‥‥背面板
２０６‥‥底板
２０７‥‥折込片
２０８‥‥折込片
２０９‥‥底板
２１０‥‥上板片
２１１‥‥折曲片
２１２‥‥折曲片
２１３‥‥上蓋板
２８ａ‥ハーフカット線
２２８ｂ‥ハーフカット線
２２９‥‥折線
２３０‥‥折線
２３１ａ‥ハーフカット線
２３１ｂ‥ハーフカット線
２３２ａ‥ハーフカット線
２３２ｂ‥ハーフカット線
ａ‥‥表半切れ線
ｂ‥‥裏半切れ線
ｃ‥‥裏半切れ線
ｄ‥‥切断線
ｅ‥‥第２表半切れ線
ｆ‥‥第３表半切れ線
ｇ‥‥第２裏半切れ線
ｈ‥‥第４表半切れ線
ｉ‥‥切断線
ｊ‥‥裏半切れ線
ｋ‥‥表半切れ線
【図１】
2004026281.tif 000003
【図２】
2004026281.tif 000004
【図３】
2004026281.tif 000005
【図４】
2004026281.tif 000006
【図５】
2004026281.tif 000007